(57)【要約】【課題】綴じられたシートを確実に押さえるとともに、表紙を開いたときに綴じ具が起立しないシート綴じ具を提供する。【解決手段】シートの綴り孔に通すための綴じバンドが連結された綴じバンド用プレート及び綴じバンドを通して係止するための係止部を形成した綴じバンド係止用プレートを綴じ具背部の折り目を介して折曲可能に１枚のプレートで形成したシート綴じ具において、綴じバンド６には綴じバンド６の長手方向に直交する方向に複数のストッパー用突起７が形成され、綴じバンド係止用プレート３には綴じバンド６の長手方向に綴じバンド６を挿通する綴じバンド挿通孔１１、綴じバンドを係止するストパー部１２、及び綴じバンド６を横から着脱可能な開口部を備えた鉤形の綴じバンド押さえ１３が同列に順次形成され、綴じバンド挿通孔１１と綴じバンド押さえ１３との間のストッパー部１２にはストッパー用突起７に係合するつめ１５が形成されている。【選択図】図１
2008062419.tif 000002
【特許請求の範囲】
【請求項１】
用紙などのシートの綴り孔に通すための帯状の綴じバンドが連結された綴じバンド用プレート及び綴じバンドを通して係止するための係止部を形成した綴じバンド係止用プレートを綴じ具背部の折り目を介して折曲可能に１枚のプレートで形成したシート綴じ具において、
前記綴じバンドには綴じバンドの長手方向に直交する方向に複数のストッパー用突起が形成され、前記綴じバンド係止用プレートには綴じバンドの長手方向に綴じバンドを挿通する綴じバンド挿通孔、綴じバンドを係止するストパー部、及び綴じバンドを横から着脱可能な開口部を備えた鉤形の綴じバンド押さえが同列に順次形成され、綴じバンド挿通孔と綴じバンド押さえとの間のストッパー部には前記ストッパー用突起に係合するつめが形成されていることを特徴とするシート綴じ具。
【請求項２】
ストッパー部のつめとストッパー用突起は綴じバンドの前進方向はストッパー用突起がストッパー部のつめを乗り越えて移動し、後退方向にはストッパー用突起がストッパー部のつめに係合されて移動が阻止される形状であることを特徴とする請求項１記載のシート綴じ具。
【請求項３】
綴じ具背部は、綴じバンド係止用プレートとの境界の折り目と綴じバンド係止用プレートとの境界の折り目との間に間隔をおいて複数の台形の抜き孔を形成して複数の台形の接続片で形成され、接続片には綴じ込むシートの枚数に応じて折り曲げるための背形成用折り目が形成されていることを特徴とする請求項１又は２記載のシート綴じ具。
【発明の詳細な説明】
【技術分野】
【０００１】
本発明は、綴じ孔が形成された用紙、書類、カード、袋シートなどのシート類を綴じるシート綴じ具に関する。
【背景技術】
【０００２】
綴じ孔を有する用紙、書類などのシート類を綴じるためにシート綴じ具が利用されている。本出願人は、綴じたシートを両側に平面状に見開きできるとともに、ファイルを完全に綴じた状態において綴じるシートの枚数に応じて綴じ具とファイルの背の幅を変えることができるシート綴じ具を提案した（特許文献１参照）。
【０００３】
図４（ａ）は従来のシート綴じ具の展開図、（ｂ）はファイルの表紙を開いた状態を示す断面図である。
【０００４】
図４において、シート綴じ具は、一枚の綴じプレートで形成され、復元力のあるやや弾性を有する材質、例えば、ポリプロピレンなどの合成樹脂で形成された一枚の綴じプレートに、二つ折りするための折り目４を境にして一方の側にはプレートの端縁に用紙などのシート１７の綴り孔１８に通すための綴じバンド６が連結された綴じバンド用プレート１が形成され、他方の側には綴じバンド６を挿通する綴じバンド挿通孔１１を形成した綴じバンド係止用プレート３が形成されている。さらに、綴じバンド係止プレート３に折り曲げ可能な係止部形成部２０を形成し、この係止部形成部２０に綴じバンド６を係止する係止孔２１が形成されている。
【０００５】
その使用方法は、ファイルの裏表紙１６に取り付けたシート綴じ具の綴じバンド６をシート１７の綴り孔１８に通した後、綴じバンド係止プレート７の綴じバンド挿通孔１１に通し、さらに外側に折り曲げられた係止部形成部２０の係止孔２１に通して係止する。
【０００６】
綴じバンド６に沿ってシート１７の綴り孔１８を表表紙１９側あるいは裏表紙１６側に移動させさてシート１７を開いた際には、シート１７を両側に平面状に見開きすることができる。
【０００７】
綴じバンド６を綴じバンド挿通孔１１および外側に折り曲げられた係止部形成部２０の係止孔２１に通すので、綴じバンドが外れにくくなる。また、綴じバンド６に対して綴じバンド挿通孔１１および係止孔２１が移動し易いので、シート１７を容易に見開きにすることができる。
【特許文献１】特開２００２−２５４８７４号公報
【発明の開示】
【発明が解決しようとする課題】
【０００８】
前記特許文献１に記載された綴じ具では、綴じバンド６が綴じバンド挿通孔１１および係止孔２１を移動し易く且つ綴じバンド係止用プレート３が復元力のある弾性を有する材質で形成されているので、綴じバンド６で綴じバンド係止用プレート３を係止していても綴じバンド係止用プレート３が弾性により上方に浮き上がりシートを押さえる力が弱くなってファイルの取り扱い時にシートがずれて不揃いになったりしていた。
【０００９】
また、ファイルの表紙を開いた時に、綴じバンド係止用プレートが弾力により上方に起き上がり、さらに係止部形成部が上方に起立した状態となるため、綴じ具の見映えがよくなかった。
【００１０】
そこで、本発明は、綴じられたシートを確実に押さえるとともに、表紙を開いたときに綴じ具が起立しないシート綴じ具を提供するものである。
【課題を解決するための手段】
【００１１】
本発明は、用紙などのシートの綴り孔に通すための帯状の綴じバンドが連結された綴じバンド用プレート及び綴じバンドを通して係止するための係止部を形成した綴じバンド係止用プレートを綴じ具背部の折り目を介して折曲可能に１枚のプレートで形成したシート綴じ具において、前記綴じバンドには綴じバンドの長手方向に直交する方向に複数のストッパー用突起が形成され、前記綴じバンド係止用プレートには綴じバンドの長手方向に綴じバンドを挿通する綴じバンド挿通孔、綴じバンドを係止するストパー部、及び綴じバンドを横から着脱可能な開口部を備えた鉤形の綴じバンド押さえが同列に順次形成され、綴じバンド挿通孔と綴じバンド押さえとの間のストッパー部には前記ストッパー用突起に係合するつめが形成されていることを特徴とする。
【００１２】
前記ストッパー部のつめとストッパー用突起は綴じバンドの前進方向はストッパー用突起がストッパー部のつめを乗り越えて移動し、後退方向にはストッパー用突起がストッパー部のつめに係合されて移動が阻止される形状に形成される。また、綴じ具背部は、綴じバンド係止用プレートとの境界の折り目と綴じバンド係止用プレートとの境界の折り目との間に間隔をおいて複数の台形の抜き孔を形成して複数の台形の接続片で形成され、接続片には綴じ込むシートの枚数に応じて折り曲げるための背形成用折り目を形成することができる。
【発明の効果】
【００１３】
本発明のシート綴じ具は、綴じバンドのストッパー用突起とストッパー部のつめの係合により綴じバンド係止用プレートが綴じバンドが移動することなく押さえられるので、綴じバンド係止用プレートが起立することがなくシートに押さえられてシートがずれないように保持することができ、ファイルの取り扱い時にシートがずれて不揃いになったりするのを防ぐことができる。
【００１４】
また、本発明のシート綴じ具は、綴じバンドと綴じバンド係止用プレートが綴じバンドのストッパー用突起とストッパー部のつめとの係合により綴じバンドの移動が阻止されているので、ファイルを開いても綴じバンド係止用プレートが弾力により上方に起立した状態になるのを抑えることができ、ファイル綴じ具がコンパクトに収まっており、従来の起立した綴じ部に比べて見映えもよくなる。
【００１５】
また、本発明のシート綴じ具は、シートを見開き状態にする場合に、二つの綴じバンドがワンタッチでバンド係止溝から外れるとともに、ストッパー用突起とストッパー部のつめの係合が外れ、綴じバンドが綴じバンド挿通孔を後退移動可能となるため、シートを容易に平面状に見開きすることができる。
【発明を実施するための最良の形態】
【００１６】
図１（ａ）は本発明のシート綴じ具の展開図、（ｂ）は（ａ）のＡ−Ａ線の断面図である。図２（ａ）は本発明のシート綴じ具の綴じバンドを係止した状態を示す斜視図、（ｂ）はＢ−Ｂ線の断面図である。
【００１７】
シート綴じ具は、弾性を有する一枚の合成樹脂製プレート、例えば、ポリプロピレンなどの合成樹脂製プレートで作製され、合成樹脂製プレートには、綴じバンド用プレート１、綴じ具背部２及び綴じバンド係止用プレート３が折り目４、５を介して順に形成される。綴じバンド係止用プレート３は、綴じられたシートを押さえるために剛性を持たせ、例えば補強リブ２２で補強する。折り目４、５は二つ折りし易くするために厚みを薄くして形成される。
【００１８】
綴じバンド用プレート１には、その端縁に折り目４と直交する方向に平行に間隔をおいて、シート１７の綴り孔１８（図３）に通して綴じ込むための一対の綴じバンド６が連設される。綴じバンド６の裏面には、ストッパー部１２のつめ１５に係止させるために綴じバンド６の長手方向に直交する方向に、複数の断面が鋸刃状のストッパー用突起（説明上、実線で表示）７が波状に形成される。図２に示すように、ストッパー部１２のつめ１５とストッパー用突起７はラチェット式に形成されることにより、綴じバンド６の前進方向はストッパー用突起７がストッパー部１２のつめ１５を乗り越えて容易に移動し、後退方向にはストッパー用突起７がストッパー部１２のつめ１５に係合されて移動が阻止される。
【００１９】
シート綴じ具の背となる綴じ具背部２は、本実施例では綴じバンド係止用プレート１との境界の折り目４と綴じバンド係止用プレート３との境界の折り目５との間に複数の台形の抜き孔８を形成して複数の台形の接続片９で形成されている。綴じバンド係止用プレート３との境界の折り目５は、シートを押さえるために二つ折りし易いように折り目５の長さを台形の短辺にして短くする。また、接続片９には綴じ込むシートの枚数に応じて折り曲げるための背形成用折り目１０を形成してもよい。
【００２０】
なお、本実施例では、綴じ具背部２は間隔をおいて抜き孔８を設けて複数の台形の接続片９で形成したが、抜き孔を設けることなくプレートのままで綴じバンド係止用プレート１及び綴じバンド係止用プレート３のそれぞれの境界の折り目４、５、背形成用折り目１０を前記の接続片の場合と同様に機能するように形成してもよい。
【００２１】
綴じバンド係止用プレート３には、綴じバンド用プレート１の綴じバンド６を係止する綴じバンド係止部が形成される。綴じバンド係止部は、綴じバンド６の長手方向に綴じバンド６を挿通する綴じバンド挿通孔１１、綴じバンド６を係止するストパー部１２、及び綴じバンド６を押さえる綴じバンド押さえ１３が同列に端縁に向かって順に形成される。綴じバンド押さえ１３は、鉤形に形成され、側縁と反対側に綴じバンド６を横から出入りさせる開口部１４を有する。
【００２２】
綴じバンド挿通孔１１と綴じバンド押さえ１３との間に形成されるストッパー部１２には、綴じバンド６のストッパー用突起７に係止するつめ１５が形成される。つめ１５は複数形成するのが好ましい。ストッパー用突起７とストッパー部１２のつめ１５はラチェット式に係止されので、綴じバンド係止用プレート３がシート側に押さえられる際には綴じバンド６は綴じバンド挿通孔１１から綴じバンド押さえ１３の方向に移動し、綴じバンド係止用プレート３が開こうとする際には綴じバンド６は綴じバンド押さえ１３から綴じバンド挿通孔１１の方向には移動が阻止されて綴じバンド係止用プレート３が開かないように維持することができる。
【００２３】
次に本実施例のシート綴じ具の使用方法について説明する。
【００２４】
図３（ａ）は本発明のシート綴じ具を利用したファイルの表紙を開いた状態を示す断面図、（ｂ）はシートを見開き状態にした状態を示す斜視図である。
【００２５】
シート綴じ具をファイルに利用する場合、綴じバンド用プレート１が見開いたファイルの裏表紙１６に接着剤や溶着などにより固定される。
【００２６】
シート綴じ具にシート１７を綴じる際、綴じるシート１７の綴じ孔１８に綴じバンド用プレート１の綴じバンド６を通す。
【００２７】
シート１７の綴じ孔１８を通した綴じバンド６を綴じバンド係止用プレート３の綴じバンド挿通孔１１に挿通する。さらに、綴じバンド挿通孔１１を挿通させた綴じバンド６を、ストッパー部１２を跨いで綴じバンド押さえ１３の開口部１４から挿入して綴じバンド押さえ１３の下側へ通して押さえる。
【００２８】
シート１７を綴じた後、ファイルの表表紙１９を綴じると、綴じバンド係止用プレート３が押さえられて綴じバンド６が前進移動し、綴じバンド６に形成されたストッパー用突起７がストッパー部１２のつめ１５に係止される。こうして、綴じバンド係止用プレート３がシート１７を押さえてずれないように保持することができるので、ファイルの取り扱い時にシート１７がずれて不揃いになったりするのを防ぐことができる。
【００２９】
また、綴じバンド係止用プレート３の綴じバンド係止部に綴じバンド６を係止している状態では、ファイルを開いても、綴じバンド係止用プレート３が綴じバンド６のストッパー用突起７とストッパー部１２のつめ１５との係止によりロックされているため、綴じバンドの移動が阻止されるので、綴じバンド係止用プレート３が弾力により上方に起立した状態になるのを抑えることができ、ファイル綴じ具がコンパクトに収まっており、従来の起立した綴じ部に比べて見映えもよくなる。
【００３０】
次に、シート１７を平面状に見開き状態にする場合には、綴じバンド押さえ１３に押さえられている二つの綴じバンド６を親指と他の指で互いに寄せることによりワンタッチで二つの綴じバンド６が綴じバンド押さえ１３の開口部１４から外れるとともに、綴じバンド６のストッパー用突起７とストッパー部１２のつめ１５のロックが解除され、綴じバンド６が綴じバンド挿通孔１１を後退移動可能となり、シート１７を容易に見開きすることができる。
【図面の簡単な説明】
【００３１】
【図１】（ａ）は本発明のシート綴じ具の展開図、（ｂ）は（ａ）のＡ−Ａ線の断面図である。
【図２】（ａ）は本発明のシート綴じ具の綴じバンドを係止した状態を示す斜視図、（ｂ）はＢ−Ｂ線の断面図である。
【図３】（ａ）は本発明のシート綴じ具を利用したファイルの表紙を開いた状態を示す断面図、（ｂ）はフィートを見開き状態にした状態を示す斜視図である。
【図４】（ａ）は従来のシート綴じ具の展開図、（ｂ）はファイルの表紙を開いた状態を示す断面図である。
【符号の説明】
【００３２】
１：綴じバンド用プレート        ２：綴じ具背部
３：綴じバンド係止用プレート    ４：折り目
５：折り目                      ６：綴じバンド
７：ストッパー用突起            ８：抜き孔
９：接続片                    １０：背形成用折り目
１１：綴じバンド挿通孔          １２：ストッパー部
１３：綴じバンド押さえ          １４：開口部
１５：つめ                      １６：裏表紙
１７：シート                    １８：綴じ孔
１９：表表紙                    ２０：係止部形成部
２１：係止孔                    ２２：補強リブ
【図１】
2008062419.tif 000003
【図２】
2008062419.tif 000004
【図３】
2008062419.tif 000005
【図４】
2008062419.tif 000006